(57)【要約】【課題】健康促進運動と発電とが一体的にできる足踏み式の健康促進発電機を提供する【解決手段】足踏む式の健康促進発電機は、足踏み板１と、伝動機構２と、発電機と、自転車のフレーム４とを含む。足踏み板１は、伝動機構２を介して発電機に伝動連結される。自転車のフレーム４の底部にはギヤボックス５が設置される。ギヤボックス５の内には蓄電池とDC/ACボックスとが設置される。蓄電池の入力端と発電機の出力端とが電気接続される。蓄電池の出力端とDC/ACボックスの入力端とが電気接続される。DC/ACボックスの出力端にはソケット８が連結される。【選択図】図１
0003152206.tif 000002
【実用新案登録請求の範囲】
【請求項１】
足踏み板と、
伝動機構と、
発電機とを含み、
前記足踏み板は、前記伝動機構を介して前記発電機に伝動連結される足踏み式の健康促進発電機において、
自転車のフレームを更に含み、前記自転車のフレームの底部にはギヤボックスが設置され、前記ギヤボックスの内には蓄電池とDC/ACボックスとが設置され、前記蓄電池の入力端と前記発電機の出力端とが電気接続され、前記蓄電池の出力端と前記DC/ACボックスの入力端とが電気接続され、前記DC/ACボックスの出力端にはソケットが連結されていることを特徴とする足踏み式の健康促進発電機。
【請求項２】
前記自転車のフレームの上にはサドルが設置されていることを特徴とする請求項１に記載の足踏み式の健康促進発電機。
【考案の詳細な説明】
【技術分野】
【０００１】
本考案は、発電機の技術分野に係り、詳しくは、足踏み式の健康促進発電機に関するものである。
【背景技術】
【０００２】
従来の足踏み式発電機は、主に足踏み板、伝動機構、発電機から構成される。足踏み板は、伝動機構を介して発電機に伝動連結され、電力を必要とするとき、使用者は足踏み板を繰り返し踏み（漕ぎ）、この動作により、発電機は絶え間なく発電できる。しかしながら、従来の足踏み式発電機は使用者に大量の体力を消耗させる。一方、人々が健康促進運動を行う過程でも、例えば、足踏み式の健康促進機械を使用する過程でも、大量の体力を消耗するが、消耗される体力はそのまま浪費される。それゆえ、どのようにすれば、健康促進運動と共に、人々が健康促進運動を行うときに発生するエネルギーを、電気エネルギーなどのその他のエネルギーに変換できるかについて、改善の余地が残っていた。
【考案の概要】
【考案が解決しようとする課題】
【０００３】
本考案は、上記の課題を鑑みて為されたものであり、その目的は、健康促進運動と発電とが一体的にできる足踏み式の健康促進発電機を提供することにある。
【課題を解決するための手段】
【０００４】
課題を解決するために、本考案によれば、足踏み板と、伝動機構と、発電機とを含み、前記足踏み板は、前記伝動機構を介して前記発電機に伝動連結される足踏み式の健康促進発電機において、自転車のフレームを更に含み、前記自転車のフレームの底部にはギヤボックスが設置され、前記ギヤボックスの内には蓄電池とDC/AC（直流から交流に変換する）ボックスとが設置され、前記蓄電池の入力端と前記発電機の出力端とが電気接続され、前記蓄電池の出力端と前記DC/ACボックスの入力端とが電気接続され、前記DC/ACボックスの出力端にはソケットが連結されていることを特徴とする足踏み式の健康促進発電機が提供される。
【０００５】
一つの好適な態様では、前記自転車のフレームの上にはサドルが設置されている。
【考案の効果】
【０００６】
本考案で提供する足踏み式の健康促進発電機は、足踏み板と、伝動機構と、発電機と、自転車のフレームとを含み、前記足踏み板は、前記伝動機構を介して前記発電機に伝動連結され、前記自転車のフレームの底部にはギヤボックスが設置され、前記ギヤボックスの内には蓄電池とDC/ACボックスとが設置され、前記蓄電池の入力端と発電機の出力端とが電気接続され、前記蓄電池の出力端と前記DC/ACボックスの入力端とが電気接続され、前記DC/ACボックスの出力端にはソケットが連結されている。本考案の前記構造の発電機によれば、人々が足踏み板を踏む（漕ぐ）健康促進運動を行うことによって発電機は発電し、かつ、発電機が発生した電気エネルギーは蓄電池中に蓄電されるので、電力を必要とするときには、DC/ACボックスを通じて、蓄電池から出力した直流電を交流電に変換して、電気炊飯器、扇風機などの家庭用電器に提供することができる。それゆえ、本考案は、人々が健康促進運動をするとき発生するエネルギーを電気エネルギーに変換して、健康促進運動と発電とが一体的にできる。
【図面の簡単な説明】
【０００７】
【図１】本考案を実施した足踏み式の健康促進発電機の構造を示す図である。
【図２】本考案を実施した足踏み式の健康促進発電機において、ギヤボックスがない場合の構造を示す図である。
【考案を実施するための形態】
【０００８】
以下、本考案の実施形態を図面に基づいて詳細に説明する。
【０００９】
図１、図２で示すように、本考案の実施形態に係る足踏み式の健康促進発電機は、足踏み板１と、伝動機構２と、発電機３と、自転車のフレーム４とを含む。足踏み板１は、伝動機構２を介して発電機３に伝動連結される。人々が足踏み板１を踏む（漕ぐ）健康促進運動を行う場合、それにより、発電機３中のローターが回転して電気エネルギーを発生する。自転車のフレーム４の底部にはギヤボックス５が設置される。ギヤボックス５の内部には電気エネルギーを蓄電する蓄電池６と、蓄電池６が出力する直流電を交流電に変換するDC/ACボックス７とが設置される。蓄電池６の入力端と発電機３の出力端とが電気接続され、蓄電池６の出力端とDC/ACボックス７の入力端とが電気接続される。DC/ACボックス７の出力端にはソケット８が連結されている。具体的に説明すると、DC/ACボックス７の出力端にはワイヤを介してソケット８が連結されており、ソケット８には各種電器の電源プラグが挿入される。自転車のフレーム４の上にはサドル４１が設置されて、使用者が座って足踏み板１を踏むことができる。
【００１０】
使用者が足踏み板１を踏んで健康促進運動をするとき、発電機３が発生した電気エネルギーは蓄電池６中に蓄電されて、電力を必要とするとき、電化製品をソケット８に接続すれば、電化製品を使用することができる。それゆえ、使用者は通常の健康促進運動をするときに発電して、その電気エネルギーを蓄電できるので、電力を必要とするときに、わざわざ足踏み板１を踏んで発電する必要がない。それゆえ、その他の事をすることができ、使用も便利である。また、本考案の実施形態に係る足踏み式の健康促進発電機では、電気エネルギーの蓄電が可能であり、かつ、比較的大きい出力の要求に応えることができるので、電気エネルギーを中小出力の家庭用電器に供給可能である。それゆえ、本考案の実施形態に係る足踏む式の健康促進発電機は、使用上便利であり、実用性がよく、用途がひろい。
【００１１】
なお、上述の説明は本考案を実施するための好適な実施形態に言及している。それゆえ、本考案の実用新案登録請求の範囲に記載の構造、特徴及び原理などを逸脱しない範囲内での変化或いは変更は、全て本考案の実用新案登録請求の範囲内に含まれる。
【符号の説明】
【００１２】
１    足踏み板
２    伝動機構
３    発電機
４    自転車のフレーム
５    ギヤボックス
６    蓄電池
７    DC/ACボックス
８    ソケット
４１  サドル
【図１】
0003152206.tif 000003
【図２】
0003152206.tif 000004